(57)【特許請求の範囲】
【請求項１】
椅子に腰掛けて使用する高さのカウンター天板（以下、第一天板）上に、立ち姿勢で接客と来訪者が対面するための高さと前記天板より小さい前後幅を有する第二天板を備えたハイカウンターユニットを設置すると共に、前記第一と第二の天板に当接する高さが異なる底辺を有する仕切パネルを前記第一と第二の天板を跨ぐように設置する一方、前記仕切パネルと第二天板の当接面を該第二天板に支持される連結金具によって連結し、前記仕切パネルと第一天板の当接面を、該第一天板に支持される固定金具によって固定することにより、前記ハイカウンターユニットと仕切パネルをともに第一天板に固定するようにしたことを特徴とするカウンターにおけるハイユニットと可動仕切パネルの固定装置。
【発明の詳細な説明】
【技術分野】
【０００１】
本発明は、金融機関等における受付や接客窓口などに設置される来訪者を接客するためのローカウンターに着脱可能に架装されるハイユニット（ハイカウンターユニットともいう）や仕切パネルの固定装置に関する。
【背景技術】
【０００２】
例えば銀行等の受付では、来訪者と行員等の接客者が対面して対応するため、カウンターの天板を挟んで来訪者と接客者とが腰椅子に掛けて対面するローカウンターを置いたり、或は、両者が立姿勢で対面するハイカウンターが設置されている。
【０００３】
従来からローカウンターやハイカウンターは、天板の高さが大きく異なるところから、夫々に別仕様，別構造のカウンターとして製造され、使用されて来たが、近時、ローカウンターの天板の上にハイカウンターになる天板ユニット（ハイユニット又はハイカウンターユニット）を着脱可能に載架固定するロー・ハイ兼用タイプのカウンターも製造され使用されるようになった。このような機能が付与されたロー・ハイ兼用カウンターは、特許文献１などにより、公知でもある。
【０００４】
一方、上記のような接客用カウンターでは、複数の来訪者が隣合ってそれぞれの接客者と対応することも多いが、来訪者相互のプライバシーなどの確保のため、天板上に仕切パネルを設置するようにしたものも特許文献２や３などにより知られている。
【０００５】
ここで、従来の接客用のロー・ハイ兼用カウンターにおけるハイカウンターユニットの取付乃至固定構造と、ローカウンター又はハイカウンター或いは兼用カウンターにおいて設置される仕切パネルの取付乃至固定構造とは、夫々に別個の構造として設計，製造されているのが通例である。
【０００６】
しかし、兼用カウンターにおけるハイカウンターユニットの取付けとそのユニットに対する仕切パネルの取付構造が、全くの別構造であると、それらの取付構造部分、とりわけ取付のための穴や取付金具がカウンターの天板やハイカウンターユニットの上や下方に露出するなどして見映えが良好でないことは勿論、部品点数も多くなって製造手間のみならず、取付手間も多くなって合理的でないという問題がある。
【先行技術文献】
【特許文献】
【０００７】
【特許文献１】特開２０１０−３５９３５号公報
【特許文献２】特開２００９−２７９０３５号公報
【特許文献３】特許第４１６８９１４号公報
【発明の概要】
【発明が解決しようとする課題】
【０００８】
本発明は、上述したロー・ハイ兼用タイプの接客用カウンターにおけるハイカウンターユニットとそのユニットに装着する仕切パネルの固定構造の問題点に鑑み、ハイカウンターユニットとこのユニットに装着する仕切パネルの取付けを共通構造とした固定装置を提供することを課題とする。
【課題を解決するための手段】
【０００９】
上記課題を解決することを目的としてなされた本発明固定装置の構域は、椅子に腰掛けて使用する高さのカウンター天板（以下、第一天板）の上に、立ち姿勢で接客と来訪者が対面するための高さと前記天板より小さい前後幅を有する第二天板を備えたハイカウンターユニットを設置すると共に、前記第一と第二の天板に当接する高さが異なる底辺を有する仕切パネルを前記第一と第二の天板を跨ぐように設置する一方、前記仕切パネルと第二天板の当接面（以下、第一当接面）を、当該第一当接面内に形成した係止溝と当該当接面内に収まりかつ前記係止溝に保合する係止爪を備えた連結金具によって固定し、前記仕切パネルと第一天板の当接面（以下、第二当接面）を、当該第二当接面内に形成した係止部と当該当接面内に収まりかつ前記係止部に係合される係合部を備えた固定金具によって固定することにより、前記ハイカウンターユニットと仕切パネルをともに第一天板に固定するようにしたことを特徴とするものである。
【００１０】
本発明は、上記構成の連結金具の固定における係止溝と係止爪に代え、第一当接面に係止ピンを設け連結金具に前記ピンに係止される係止穴を設けることができる。また、上記構成の固定金具の固定における係止部と係合部を、第二当接面に係止ピン又は前記係止溝を設け固定金具に前記ピンに対応する係止穴又は前記係止溝に対応する係止爪とすることもできる。
【発明の効果】
【００１１】
本発明は、椅子に腰掛けて使用する高さのカウンター天板（以下、第一天板）上に、立ち姿勢で接客と来訪者が対面するための高さと前記天板より小さい前後幅を有する第二天板を備えたハイカウンターユニットを設置すると共に、前記第一と第二の天板に当接する高さが異なる底辺を有する仕切パネルを前記第一と第二の天板を跨ぐように設置する一方、前記仕切パネルと第二天板の第一当接面を該第二天板に支持される連結金具によって連結固定し、前記仕切パネルと第一天板の第二当接面を、該第一天板に支持される固定金具によって固定することにより、前記ハイカウンターユニットと仕切パネルを共通金具によって第一天板に固定するようにしたので、ロータイプの接客カウンターに後からハイカウンターユニットを架装して仕切パネル付きのハイカウンターに容易に変更することができる。
【００１２】
本発明では、ハイカウンターユニットと仕切パネルの両者を、共通した固定金具によりローカウンターの天板に固定することができるようにし、また、その固定金具は仕切パネルの厚さ内に収まる形態にしたので、従来の個々に固定金具を必要としたものに比べ金具部品の点数が少なくて合理的であり、また、金具の露出も少なくて見映えも良好である。さらに、第一天板にハイカウンターユニットを固定するための取付穴などの加工が不要であり、そのような穴がないのでハイカウンターユニットを外してローカウンターとして使用する場合においても見た目を損なわない。
【図面の簡単な説明】
【００１３】
【図１】本発明固定装置を適用した接客用カウンターの一例を来訪者側から見た要部の斜視図。
【図２】本発明固定装置を適用した接客用カウンターの一例を接客用側から見た要部の斜視図。
【図３】図１のカウンターにおける仕切パネルの拡大斜視図。
【図４】図３の仕切パネルの下半側を断面にした側面図。
【図５】図４の仕切パネルの一部を断面にした左側面図。
【図６】図１のカウンターを右側から見てカウンター天板を断面にした拡大側面図。
【図７】図６の仕切パネルの固定構造を説明するための側面図。
【図８】連結金具の側面図。
【図９】図８の連結金具の平面図。
【図１０】図８の連結金具のための左側面図。
【図１１】固定金具の側面図。
【図１２】図１０の固定金具の平面図。
【発明を実施するための形態】
【００１４】
本発明固定装置は、図１，図２に例示するようなロータイプの高さが低い天板１、すなわち椅子に腰掛けて来訪者と接客者がその天板１を挟んで対峙する接客用カウンターＳＣにおいて、前記天板１（以下、第一天板１という）の上に、来訪者と接客者が立ち姿勢で対面する高い天板２（以下、第二天板２という）を備えたハイカウンターユニットＨｕ（ハイユニットＨｕともいう）を設置した状態を例示したもので、図１は来訪者側から見た斜視図、図２は接客者側から見た斜視図である。図１，図２において、３，４は第一天板１の左右両側又は中間部に設置したエンドパネル（又は、中間パネル）によるパネル脚体である。ここで、第一天板１は、後述するが、天板１の下にその長さ方向に沿った幕板を兼ねたセンター脚部７を具備している。また、８Ａは第一天板に立設した仕切パネル、ＣＡはエンドパネル脚体３に隣接したキャビネットである。
【００１５】
図１，図２のハイカウンターユニットＨｕは、第二天板２とこの天板２の前端に配置された幕板部５と左右のエンド部材６により、断面がほぼ倒Ｌ字状をなしており、第一天板１における左右のパネル脚体３，４の間に配置されている。
【００１６】
このハイユニットＨｕは、第一天板１の上に配置されるとき、その幕板部５が、第一天板１の前端側（来訪者側）に、１０〜２０ｃｍ程度の前後幅を有するロー天板部１ａが形成されるように配置される。ロー天板部１ａは来訪者のカバン等の手荷物置き場として好適である。
【００１７】
上記ハイユニットＨｕには、第一天板におけるロー天板部１ａと第二天板２に跨がる底辺を有する仕切パネル８が取付けられている。仕切りパネル８は、第一天板１（ロー天板部１ａ）と第二天板２に当接する底辺側の２つの当接面８１，８２（以下、第一当接面８１，第二当接面８２という）を利用して、当該第一天板（ローカウンター部１ａ）と第二天板２とに結合的に固定される。
【００１８】
仕切パネル８が上記態様により取付けられることによって、本発明では、仕切パネル８の第二天板２上での設置位置が自由に変更可能であること、並びに、ハイユニットＨｕと仕切パネル８の両者が共有する連結金具９と固定金具１０によって一体化された状態で固定できることとなるので、以下、この点について図３〜図７、並びに、図８〜図１２を参照しつつ説明する。
【００１９】
仕切パネル８とハイユニットＨｕとの第一天板１に対する結合は、第一天板１の上に載置されるハイユニットＨｕに、仕切パネル８を所定の位置にマウントした状態で、仕切パネル８と第二天板２とを当該仕切パネル８の後部側（接客者側）と第二天板２の後端側（接客者側）において連結金具９により結合し、この結合状態の仕切パネル８とハイユニットＨｕを、仕切パネル８の前端側（来訪者側）下部と第一天板１の前端部（来訪者側）において締緩自在の固定金具１０により緊締結合することによりなされる。
【００２０】
本発明では上記三つの部材８，Ｈｕ（２），１の図６，図７に例示した結合を実現するため、まず、仕切パネル８における第一当接面８１の部位と第二当接面８２の部位に、図４，図５に例示する構造を付与した。
【００２１】
すなわち、仕切パネル８においてハイユニットＨｕの第二天板２に載せられる第一当接面８１の部位には、図８〜図１０に例示する連結金具９を装着結合するため、この当接面８１の底に、当該金具９の細幅板状の本体部９ａの厚さに略等しい浅溝８１ａを設けると共に、該溝８１ａの前後の部位に、連結金具９の本体部９ａに立設した２つの係止爪９ｂ，９ｃを受入れる係止溝８１ｂ，８１ｃを設けている。（なお、図３，図４の仕切パネル８と図６，図７の仕切パネル８は、パネルの向きが逆である。）
【００２２】
上記構成において、係止溝８１ｂ，８１ｃと係止爪９ｂ，９ｃは、次の関係を以て形成されている。第一に、係止溝８１ｂ，８１ｃは、第一当接面８１の厚さ方向の中心部位にパネル８の幅方向と平行に設けられ、溝の入口の幅ｗ１が、図９に示した係止爪９ｂ，９ｃの最大部の左右幅ｗ２よりわずかに大きい幅に形成されている。そして、前記溝８１ｂ，８１ｃの奥（図４の右方）にはキー溝部８１ｇが形成され、その幅ｋ１が、図９の連結金具９における係止爪９ｂ，９ｃの上部側に形成されたキー部９ｋの幅ｋ２よりわずかに大きな幅に形成されている。
【００２３】
図８〜図１０の連結金具において、９ｄは、当該金具９の係止爪９ｂ，９ｃが設けられない側の側端部に、本体部１０ａを第二天板２の厚さに合せて１８０度ターン曲げして形成した第二天板２の挟持部である。
【００２４】
次に、第一天板１に当接する第二当接面８２の部位には、図１１，図１２に例示する固定金具１０の係合部に係合して係止される係止部が形成されているので、以下に説明する。
【００２５】
第二当接面８２に形成される係止部は、図１１，図１２に例示する固定金具１０の本体部１０ａを受入れる深さと幅を有して、当該パネル８の左右幅方向に沿って形成された溝８２ａと、該溝８２ａの前後両部位に頭部を溝８２ａの底から浮かせてパネル８に植設した２本の頭付き係止ピン８２ｂ，８２ｃにより形成されている、
【００２６】
第二当接面８２に形成した上記係止部に係合される固定金具１０は、図１１，図１２に例示したように、前記頭付きピン８２ｂ，８２ｃを受入れて当該ピン８２ｂ，８２ｃの頭部を抜止め係止す抜止め辺１０ｓを有する２つのダルマ穴１０ｂ，１０ｃが前後部に設けられると共に、前記当接面８２に形成した溝８２ａに嵌まる幅と長さを有する本体部１０ａと、この本体部１０ａの端部が第一天板１をその厚み方向において抱くように１８０度ターン曲げされた第一天板挟持部１０ｄを備えている。さらにこの固定金具１０の挟持部１０ｄは、当該金具１０の第一天板１に対する挟持力を緊締，弛緩させるための締緩部１１を具備している。
【００２７】
前記締緩部１１は、下端が第一天板１の下面に当接すると共に、前記挟持部１０ｄを挟む２つの脚部１１ｂ，１１ｃを有する略Ｕ字状断面の押え金具１１ａと、この押え金具１１ａに回転可能で抜去不能に立設したネジ杆１１ｄと一体のノブ１１ｅを備えて成り、前記ネジ杆１１ｄのネジ部が、前記金具１０の挟持部１０ｄに設けた雌ネジ部１０ｅに螺装されていることにより、固定金具１０の緊締，弛緩部として機能する。
【００２８】
すなわち、ノブ１１ｅを回転させると、２つの脚部１１ｂ，１１ｃに挟まれた固定金具１０の天板挟持部１０ｄが、脚部１１ｂ，１１ｃの高さ方向において第一天板１の裏面に接近させられたり、離反させられるので、この金具１０の第二天板１の挟持力を強めたり緩めたりすることができる。
【００２９】
以上により本発明固定装置の一例を構成するので、以下にこの固定装置の使用態様について説明する。
まず、第一天板１の上にハイユニットＨｕを載置する。この状態で連結金具９を、その本体部９ａと挟持部９ｄにより第二天板２をその天板２の後方（接客者側）から挟む態様で、当該第二天板２に装着する。同時に、固定金具１０を、第一天板１の前端側（来訪者側）から本体部１０ａと挟持部１０ｄによりこの天板１を挟む態様で装着（仮装着）する。また、固定金具１０における締緩部１１のノブ１１ｅは締め側載置位置（ロー天板部１ａの前後幅）を規める基準器として機能する。
【００３０】
２つの金具９と１０が第二天板２と第一天板１に装着された状態において、仕切パネル８を、その底辺の２つの当接面８１と８２が、それらに設けた係止溝８１ｂ，８１ｃと頭付きピン８２ｂ，８２ｃが、前記連結金具９と固定金具１０の係止爪９ｂ，９ｃとダルマ穴１０ｂ，１０ｃに嵌まり合うように、静かに真上から当該天板１，２に対して降ろして行く。
そうすると、仕切パネル８は、係止溝８１ｂ，８１ｃにおいてキー溝８１ｇに係止爪９ｂ，９ｃのキー部９ｋが入らない状態で、また頭付きピン８２ｃ，８２ｃはダルマ穴１０ｂ，１０ｃの板止め辺１０ｓの側に届いていない状態で、２つの当接面８１，８２が２つの天板２と１の上面に当接して載置される。
【００３１】
そこで、前記パネル８を、図６，図７ではこれらの図の右方へ押込むと、前記係止爪９ｂ，９ｃのキー部９ｋが係止溝８１ｂ，８１ｃのキー溝８１ｇに入り、また、頭付きピン８２ｂ，８２ｃの頭部がダルマ穴１０ｂ，１０ｃの抜止め辺１０ｓに係止される位置に来る。すなわち、仕切パネル８とを連結金具９，固定金具１０の位置関係が、図６，図７に示した通りになるので、ここで固定金具１０の締緩部１１のノブ１１ｅを緊締側に回して仕切パネル８の第二当接面８２を第一天板１に緊締密着させるのである。
【００３２】
これにより、仕切パネル８の第一当接面８１において第二天板２がその奥行き方向の全幅で連結金具９によって当該パネル８と一体に結合されたハイユニットＨｕは、前記仕切パネル８が第二当接面８２の全面において第一天板１に強固に固定されることとなる、
【００３３】
上記の本発明固定装置では、締緩部１１のノブ１１ｅを緩め方向に回転させて仕切パネル８を図６，図７の左方（来訪者側）に水平に引けば、係止ピン８２ｂ，８２ｃも係止爪９ｂ，９ｃもいずれも抜止めが解除されるから、このパネル８を持上げることができ、この状態で前記金具９，１０を天板１，２の上で左右方向にずらせば仕切パネル８の設置位置を容易に変更することができる。
【００３４】
本発明固定装置において、仕切パネルの２つの当接面８１，８２内部に形成する係止部、係合部は、上記実施例に限られるものではなく、例えば、第一当接面８１における係止溝８１ｂ，８１ｃの構成を第二当接面８２に適用すること、或は、第二当接面８２における頭付きピン８２ｂ，８２ｃの構成を第一当接面８１に適用することもできる。この場合、当然、固定金具１０、或は、連結金具９の構造は、前記溝８１ｂ，８１ｃや前記ピン８２ｂ，８２ｃに対応した形態のものが適用されることは勿論である。
【産業上の利用可能性】
【００３５】
本発明は以上の通りであって、接客用カウンターに着脱タイプの仕切パネルを有するハイカウンターユニットを載架するとき、カウンター天板に取付用の穴を設けたり、取付金具をハイユニットと仕切パネルで個別に用意したりせずに、ハイユニットと仕切パネルとの結合をいわゆる共締め構造としたので、部品点数も少なく、見映えも良好な仕切パネルを備えたハイカウンターユニットを提供することができる。勿論、仕切パネルの位置はハイカウンターの天板の上で任意の位置を選択し、変更することは自在である。
【符号の説明】
【００３６】
ＳＣ    接客用カウンター
１      第一天板
１ａ    ロー天板部
Ｈｕ    ハイユニット（ハイカウンターユニット）
２      第二天板
３，４  パネル脚体
５      幕板部
６      エンド部材
７      幕板兼用のセンター脚部
８      仕切パネル
８１    第一当接面
８１ａ  浅溝
８１ｂ，８１ｃ  係止溝
８１ｇ  キー溝部
８２    第二当接面
８２ａ  溝
８２ｂ，８２ｃ  頭付き係止ピン
９      連結金具
９ａ    本体部
９ｂ，９ｃ  係止爪
９ｄ    挟持部
９ｋ    キー部
１０    固定金具
１０ａ  本体部
１０ｂ，１０ｃ  ダルマ穴
１０ｄ  挟持部
１０ｓ  抜止め辺
１１    締緩部
１１ａ  押え金具
１１ｂ，１１ｃ  脚部
１１ｅ  ノブ
【図１】
0005701051.tif 000002
【図２】
0005701051.tif 000003
【図３】
0005701051.tif 000004
【図４】
0005701051.tif 000005
【図５】
0005701051.tif 000006
【図６】
0005701051.tif 000007
【図７】
0005701051.tif 000008
【図８】
0005701051.tif 000009
【図９】
0005701051.tif 000010
【図１０】
0005701051.tif 000011
【図１１】
0005701051.tif 000012
【図１２】
0005701051.tif 000013